(57)【要約】【課題】  分草装置や引起装置を畦に干渉させることなく刈刃を畦に接近させてこの畦際の植立穀稈を刈り取る作業を操作性よく行えるものとする。【解決手段】  刈取部４の上部に回動軸心Ｓを横向き姿勢に配置し、該回動軸心Ｓを支点として分草装置８と引起装置９とを一体的に上下回動自在に構成する。更に、分草装置８と引起装置９とを積極的に上下回動させる駆動装置４０を設ける。そして、第１の手段として、駆動装置４０の作動状態を操作する操作具ＳＷ１を機体Ｋの走行方向調節用の操向レバ−５２に設ける。また、第２の手段として、駆動装置４０の作動状態を操作する操作具ＳＷ１を機体Ｋの走行速度調節用の変速レバ−５１に設ける。【選択図】図１
2006180750.tif 000002
【特許請求の範囲】
【請求項１】
植立穀稈を分草する分草装置８と、該分草装置８によって分草された穀稈を引き起こす引起装置９と、該引起装置９によって引き起こされた穀稈を切断する刈刃１０と、該刈刃１０によって切断した穀稈を搬送する搬送装置１１とから刈取部４を構成して該刈取部４を機体Ｋ前部に昇降自在に設け、該刈取部４の上部に回動軸心Ｓを横向き姿勢に配置し、該回動軸心Ｓを支点として分草装置８と引起装置９とを一体的に上下回動自在に構成し、該分草装置８と引起装置９とを積極的に上下回動させる駆動装置４０を設け、該駆動装置４０の作動状態を操作する操作具ＳＷ１を機体Ｋの走行方向調節用の操向レバ−５２に設けたことを特徴とするコンバイン。
【請求項２】
植立穀稈を分草する分草装置８と、該分草装置８によって分草された穀稈を引き起こす引起装置９と、該引起装置９によって引き起こされた穀稈を切断する刈刃１０と、該刈刃１０によって切断した穀稈を搬送する搬送装置１１とから刈取部４を構成して該刈取部４を機体Ｋ前部に昇降自在に設け、該刈取部４の上部に回動軸心Ｓを横向き姿勢に配置し、該回動軸心Ｓを支点として分草装置８と引起装置９とを一体的に上下回動自在に構成し、該分草装置８と引起装置９とを積極的に上下回動させる駆動装置４０を設け、該駆動装置４０の作動状態を操作する操作具ＳＷ１を機体Ｋの走行速度調節用の変速レバ−５１に設けたことを特徴とするコンバイン。
【発明の詳細な説明】
【技術分野】
【０００１】
本発明は、コンバインに係るものである。
【背景技術】
【０００２】
従来より、植立穀稈を分草する分草装置と、該分草装置によって分草された穀稈を引き起こす引起装置と、該引起装置によって引き起こされた穀稈を切断する刈刃と、該刈刃によって切断した穀稈を搬送する掻込み搬送装置とから刈取部を構成して該刈取部を機体前部に昇降自在に設けたコンバインが知られている。
【０００３】
そして、このようなコンバインにおいて、刈取部の上部に回動軸心を横向き姿勢に配置し、該回動軸心を支点として分草装置と引起装置とを一体的に上方回動自在に構成し、該分草装置と引起装置とを積極的に上下回動させる駆動装置を設けたものがある（例えば、特許文献１参照。）。このような構成を採ることにより、刈刃の前方に位置する分草装置と引起装置とを上方へ退避させ、刈刃を畦際に接近させてこの畦際に植立する穀稈を刈り取ることができるものとし、枕地での手刈り作業を省力化しようとするものである。尚、この技術は、コンバインが作業対象の圃場に初めて侵入する際（刈り込み時）にも利用できる。
【特許文献１】特開２００４−２４１１２号公報
【発明の開示】
【発明が解決しようとする課題】
【０００４】
上述のような従来技術において、コンバインによる刈取作業中は、操縦者が、右手で操向レバ−を把持し、左手で変速レバ−を把持して操縦を行なう。
そして、コンバインが穀稈列の終端部に至った際に、左手で変速レバ−を減速操作して機体を減速ないし停止させ、駆動装置の作動状態を操作する操作具を操作して、分草装置と引起装置とを駆動装置の駆動力によって一体的に上方回動させれば、刈刃よりも前方の構造物がなくなるために、更に変速レバ−を前進操作して刈刃を比較的高い畦畔や壁面に近付け、この際の植立穀稈を刈り取ることができる。即ち、このように分草装置と引起装置とを一体的に上方回動させる構成を採用すれば、畦畔や壁面などの障害物の高さに関係なく、この畦際の植立穀稈を刈り取ることができる。
【０００５】
しかしながら、このように分草装置と引起装置とを上下回動させるにあたり、駆動装置の作動状態を操作する操作具が、例えば操縦席前方の前部操作パネルに設けられていると、コンバインが穀稈列の終端部に至った時点で操向レバ−から右手を離し、この右手で操作具を操作せねばばらず、この間、操向レバ−による機体の操向や刈取部の昇降操作が行なえなくなり、作業能率が低下する欠点がある。
【０００６】
また、操作具が、例えば操縦席側方の側部操作パネルに設けられていると、コンバインが穀稈列の終端部に至った時点で変速レバ−から左手を離し、この左手で操作具を操作せねばならず、この間、変速レバ−による変速操作ないし前後進操作が行なえなくなり、作業能率が低下する欠点がある。
【課題を解決するための手段】
【０００７】
本発明は、上述した課題を解決するために、次の如き技術手段を講ずるものである。
すなわち、請求項１記載の発明においては、植立穀稈を分草する分草装置８と、該分草装置８によって分草された穀稈を引き起こす引起装置９と、該引起装置９によって引き起こされた穀稈を切断する刈刃１０と、該刈刃１０によって切断した穀稈を搬送する搬送装置１１とから刈取部４を構成して該刈取部４を機体Ｋ前部に昇降自在に設け、該刈取部４の上部に回動軸心Ｓを横向き姿勢に配置し、該回動軸心Ｓを支点として分草装置８と引起装置９とを一体的に上下回動自在に構成し、該分草装置８と引起装置９とを積極的に上下回動させる駆動装置４０を設け、該駆動装置４０の作動状態を操作する操作具ＳＷ１を機体Ｋの走行方向調節用の操向レバ−５２に設けたことを特徴とするコンバインとしている。
【０００８】
請求項１記載の発明によるコンバイン作業は、操縦者が、右手で操向レバ−５２を把持し、左手で変速レバ−を把持して行なわれ、分草装置８によって圃場に植立する穀稈を分草し、この分草された穀稈を引起装置９によって引起し、この引起された穀稈の株元部を刈刃１０によって切断し、この刈取穀稈を搬送装置１１によって後方へ搬送して脱穀部のフィ−ドチェンに引き継いで脱穀処理する。
【０００９】
このようなコンバイン作業において、例えば圃場の一辺を刈り終えて畦際に達したときに、変速レバ−を減速操作して機体を減速ないし停止させるが、この畦が比較的高く、刈取部４を上昇させても分草装置８等が干渉する場合には、操向レバ−５２に設けた操作具ＳＷ１を該操向レバ−５２を把持した右手で操作して駆動装置４０を作動させて、刈取部４の上部に横向き姿勢に配置する回動軸心Ｓを支点として分草装置８と引起装置９とを一体的に上方回動させる。これにより、分草装置８や引起装置９を畦に干渉させることなく、刈刃１０を畦に接近させてこの畦際の植立穀稈を刈り取ることができる。
【００１０】
請求項２記載の発明においては、植立穀稈を分草する分草装置８と、該分草装置８によって分草された穀稈を引き起こす引起装置９と、該引起装置９によって引き起こされた穀稈を切断する刈刃１０と、該刈刃１０によって切断した穀稈を搬送する搬送装置１１とから刈取部４を構成して該刈取部４を機体Ｋ前部に昇降自在に設け、該刈取部４の上部に回動軸心Ｓを横向き姿勢に配置し、該回動軸心Ｓを支点として分草装置８と引起装置９とを一体的に上下回動自在に構成し、該分草装置８と引起装置９とを積極的に上下回動させる駆動装置４０を設け、該駆動装置４０の作動状態を操作する操作具ＳＷ１を機体Ｋの走行速度調節用の変速レバ−５１に設けたことを特徴とするコンバインとしている。
【００１１】
請求項２記載の発明によるコンバイン作業は、操縦者が、右手で操向レバ−を把持し、左手で変速レバ−５１を把持して行なわれ、分草装置８によって圃場に植立する穀稈を分草し、この分草された穀稈を引起装置９によって引起し、この引起された穀稈の株元部を刈刃１０によって切断し、この刈取穀稈を搬送装置１１によって後方へ搬送して脱穀部のフィ−ドチェンに引き継いで脱穀処理する。このようなコンバイン作業において、例えば圃場の一辺を刈り終えて畦際に達したときに、変速レバ−５１を減速操作して機体を減速ないし停止させるが、この畦が比較的高く、刈取部４を上昇させても分草装置８等が干渉する場合には、変速レバ−５１に設けた操作具ＳＷ１を該変速レバ−５１を把持した左手で操作して駆動装置４０を作動させて、刈取部４の上部に横向き姿勢に配置する回動軸心Ｓを支点として分草装置８と引起装置９とを一体的に上方回動させる。これにより、分草装置８や引起装置９を畦に干渉させることなく、刈刃１０を畦に接近させてこの畦際の植立穀稈を刈り取ることができる。
【発明の効果】
【００１２】
請求項１記載の発明においては、畦が比較的高い場合に、刈取部４の上部に横向き姿勢に配置する回動軸心Ｓを支点として分草装置８と引起装置９とを一体的に上方回動させることにより、該分草装置８や引起装置９を畦に干渉させることなく、刈刃１０を畦に接近させてこの畦際の植立穀稈を刈り取ることができる。また、このように分草装置８と引起装置９とを上下回動させる駆動装置４０の操作具ＳＷ１が操向レバ−５２に設けられるために、該操向レバ−５２を把持した右手で操作具ＳＷ１を操作することができ、操向レバ−５２を操作して機体Ｋの操向や刈取部４の高さ調節を行いながら分草装置８と引起装置９とを上下回動させることができて、刈取作業の能率を向上させることができる。
【００１３】
請求項２記載の発明においては、畦が比較的高い場合に、刈取部４の上部に横向き姿勢に配置する回動軸心Ｓを支点として分草装置８と引起装置９とを一体的に上方回動させることにより、該分草装置８や引起装置９を畦に干渉させることなく、刈刃１０を畦に接近させてこの畦際の植立穀稈を刈り取ることができる。また、このように分草装置８と引起装置９とを上下回動させる駆動装置４０の操作具ＳＷ１が変速レバ−５１に設けられるために、該変速レバ−５１を把持した左手で操作具ＳＷ１を操作することができ、変速レバ−５１を操作して機体Ｋの走行速度を微調整しながら分草装置８と引起装置９とを上下回動させることができて、刈取作業の能率を向上させることができる。
【発明を実施するための最良の形態】
【００１４】
圃場における枕地、および圃場への侵入箇所において、手刈り作業を少なくすることができると共に、刈り取った穀稈を円滑に脱穀処理することのできるコンバインを、操作性が良く、作業能率の高いものとして実現した。
【実施例１】
【００１５】
本発明の実施例を図１〜図４により説明すると、１は機体フレ−ム、２は該機体フレ−ム１の下方に設けたクロ−ラ式の走行装置、３は機体フレ−ム１の上側に設けた脱穀装置、４は前記脱穀装置３の前側に設けた刈取部、５は前記脱穀装置３によって脱穀処理された穀粒を一時貯留するグレンタンク、６は前記グレンタンク５内の穀粒を排出する排出オ−ガ、７は操縦部である。以上により、コンバインの機体Ｋを構成する。
【００１６】
前記刈取部４は、その最先端位置において複数の分草装置８を左右に並設し、各分草装置８の後側に該分草装置８によって分草された穀稈を引起す引起装置９を設け、該引起装置９の後側に該引起装置９によって引起された穀稈の株元を切断する刈刃１０を設け、該刈刃１０の上方から後方にかけて該刈刃１０によって刈り取った穀稈を搬送する搬送装置１１を設ける。
【００１７】
該搬送装置１１は、刈取対象の穀稈を掻き込むラグ式の掻込ベルト１２と、該掻込ベルト１２を巻き掛ける後側のプ−リと同軸のスタ−ホイル１３とによって構成する。
そして、前記スタ−ホイル１３の後側に、穀稈を引継搬送する株元搬送装置１４および該株元搬送装置１４の上方に設けた穂先搬送装置（図示省略）を設ける。該株元搬送装置１４と穂先搬送装置とは、その終端部を前記脱穀装置３のフィ−ドチェン１６の始端部に臨ませると共に、その始端部を供給調節モ−タ（図示省略）によって一体的に上下動自在に構成して扱ぎ深さ調節手段を構成する。また、前記株元搬送装置１４と穂先搬送装置とを支持する支持フレ−ム１８部に扱ぎ深さ検出センサ−としての穂先側穀稈センサ−と株元側穀稈センサ−（いずれも図示省略）とを取り付ける。
【００１８】
しかして、前記刈取部４は、刈取フレ−ム２０の刈取下側フレ−ム２１を縦支持フレ−ム２２の先端に取り付け、該縦支持フレ−ム２２の基部を前記機体フレ−ム１側に設けた支持台２３に回動自在に取り付けて機体フレ−ム１側に支持し、刈取上下シリンダ１９の伸縮によって上下回動自在に構成する。
【００１９】
この場合、前記刈取フレ−ム２０は、縦支持フレ−ム２２側に設けた固定フレ−ム２４と該固定フレ−ム２４に対して移動する移動する移動フレ−ム２５とに分割形成し、前記移動フレ−ム２５側に少なくとも分草装置８および引起装置９を設けて引起ユニット２６を構成すると共に、該引起ユニット２６を、前記固定フレ−ム２４の上部に設けた回動軸心Ｓ（後述する伝動軸４３の軸心に同じ）を支点として前側上方へ回動させて、引起ユニット２６の重心が回動軸心Ｓよりも上方後側の位置に移動するように構成する。
【００２０】
更に詳述すると、前記刈取フレ−ム２０の刈取下側フレ−ム２１の左右中間位置に縦支持フレ−ム２２の先端を固定し、刈取下側フレ−ム２１の左右両側に左右側部フレ−ム２７の下部を固定し、また、刈取下側フレ−ム２１には前方に突き出るように下側前後フレ−ム２８の基部を固定する。該下側前後フレ−ム２８の先端側は刈刃フレ−ム２９により連結固定し、該刈刃フレ−ム２９に刈刃１０を取り付ける。
【００２１】
このように、刈取下側フレ−ム２１と左右側部フレ−ム２７と刈刃フレ−ム２９とにより、固定フレ−ム２４を構成する。
また、前記各分草装置８は、前後方向のパイプにより形成した分草杆３０の先端に設け、側面視後方に至るに従い高くなる傾斜面を有して形成している。
【００２２】
また、前記引起装置９は、引起ケ−ス３１の上部において前後方向の横軸３２に駆動歯車３３を設け、該駆動歯車３３と下部のロ−ラとの間に引起ラグ３４を多数起伏自在に取り付けたチェンＣを巻き回して構成する。
【００２３】
前記引起装置９の引起ケ−ス３１は、その下部を、下方にある分草杆３０の前後方向中間部に固定し、各分草杆３０の後部を刈刃１０の上方に臨ませる。
また、前記各引起装置９の引起ケ−ス３１の上部には、上側に突き出す伝動筒３５を設け、各伝動筒３５の上部を左右方向の筒部材により構成した上部伝動ケ−ス３６に固定する。
【００２４】
従って、前記移動フレ−ム２５は、少なくとも、分草杆３０と上部伝動ケ−ス３６と、この両者を連結する引起ケ−ス３１と、各分草杆３０を連結する移動側横フレ−ム３７とから構成し、上部伝動ケ−ス３６の左右両側は前記左右側部フレ−ム２７の上部を回動支持する懸架台３８に回転自在に取り付け、左右方向の上部伝動ケ−ス３６の軸心を回動軸心Ｓとして分草装置８および引起装置９が機体進行方向において上方回動して、刈刃１０の前側を開放するように構成する。
【００２５】
また、前記上部伝動ケ−ス３６と左右側部フレ−ム２７との取付部分には、移動フレ−ム２５を上下回動させる移動機構３９を設ける。該移動機構３９は、左右側部フレ−ム２７の上部に移動用駆動手段である電動モ−タ（駆動装置）４０を設け、該電動モ−タ４０の出力軸に設けた駆動歯車４１に上部伝動ケ−ス３６外周に設けた受動歯車４２を噛み合わせて構成する。尚、この場合、移動機構３９の電動モ−タ４０をブレ−キ機構付きモ−タにより構成して、電動モ−タ４０に通電していないときに上部伝動ケ−ス３６の回動をロックするように構成するとよい。
【００２６】
そして、図５に示すように、前記電動モ−タ４０の回転を調節操作する操作スイッチ（操作具）ＳＷ１を、機体Ｋの走行方向調節用の操向レバ−５２の把持部の上面に設ける。
また、図６に示すように、該操作スイッチＳＷ１を、機体の走行速度調節用の変速レバ−５１の把持部の内側面部に設けてもよい。
【００２７】
前記操作スイッチＳＷ１は、いずれも２方向に押し操作するシ−ソ−式に形成し、一方向側に押すと前記電動モ−タ４０が正転し、一方、他方向側に押し操作すると前記電動モ−タ４０が逆転するように制御回路を構成する。
【００２８】
この制御回路は、図７に示すように、コントロ−ラＣＴに対して、その入力側に操作スイッチＳＷ１を接続する一方、その出力側に電動モ−タ４０を接続して構成する。
また、上部伝動ケ−ス３６内に設けた伝動軸４３に受動プ−リ４４を設け、該受動プ−リ４４と側部フレ−ム２７の中間部から突出する出力軸に設けた出力プ−リ４５との間にベルト４６を掛け回す。そして、前記伝動軸４３の両端部に設けたベベルギヤＧ１，Ｇ２に、左右の伝動筒３５，３５内の伝動軸３５Ｓ，３５Ｓの上端部に設けたベベルギヤｇ１，ｇ２を噛み合わせる。更に、前記伝動軸３５Ｓ，３５Ｓの下端部に設けたベベルギヤｇ３，ｇ４と、前記横軸３２，３２の後端部に設けたベベルギヤｇ５，ｇ６とをベベルギヤケ−スＧ３，Ｇ４内で噛み合わせる。この伝動構成により、引起装置９は、その上下回動位置に拘らず、駆動することができる。
【００２９】
また、前記出力プ−リ４５と受動プ−リ４４とに掛け回すベルト４６による巻き掛け伝動系は、前記受動プ−リ４４を有効直径変更可能な割プ−リに構成して、伝動比率を無段階に変更可能なベルト変速ユニットと成す。該ベルト変速ユニットを変速作動させることにより、前記引起装置９の駆動歯車３３の回転速度が変速され、該駆動歯車３３に巻き掛けられたチェンＣおよび該チェンＣに取り付けられた引起ラグ３４の上昇移行速度（引起速度）が変速される構成とする。
【００３０】
更に、前記ベルト変速ユニットの受動プ−リ４４の有効直径を変更する機構として、該受動プ−リ４４の有効直径を調節するカム機構（図示省略）を操作するロッド４７と前記刈取部４側の縦支持フレ−ム２２の中間部とに連繋ワイヤ４８のインナ−側の両端部を連結し、前記電動モ−タ４０を収容するケ−シング４９とミッションケ−ス５０前側とに前記連繋ワイヤ４８のアウタ−側の両端部を連結する。これにより、刈取上下シリンダ１９を伸長作動させて刈取部４を機体Ｋに対して上昇させると、前記連繋ワイヤ４８のインナ−側の引き操作によって、前記ロッド４７が引かれてカム機構が作動し、ベルト変速ユニットの受動プ−リ４４の有効直径が変化して、引起装置９の駆動歯車３３の回転速度が増速する。これによって、該駆動歯車３３に巻き掛けるチェンＣおよび引起ラグ３４の上昇移行速度、即ち引起速度が増速する。
【００３１】
しかして、コンバイン作業においては、操縦者が操縦部７に設けた変速レバ−５１を左手で把持して前進増速操作して走行装置２を駆動すると共に、該操縦者が右手で操向レバ−５２を把持して機体Ｋの走行方向を調節したり刈取部４の高さを調節したりしながら、刈取部４の分草装置８によって圃場の植立穀稈を分草し、分草された穀稈を引起装置９によって引起し、この引起された穀稈を刈刃１０によって切断し、この切断された穀稈を搬送装置１１から株元搬送装置１４と穂先搬送装置とに引継ぎ、扱ぎ深さ自動制御手段による扱ぎ深さの自動制御が行われて、後方のフィ−ドチェン１６に引き継がれて脱穀処理される。
【００３２】
このようなコンバイン作業において、例えば圃場の一辺を刈り終えて畦際に達したときに、この畦が比較的高く、刈取部４を上昇させても分草装置８等が干渉する場合には、操縦者が右手で把持した操向レバ−５２の把持部上面の操作スイッチＳＷ１を一方向側へ押し操作することによって、あるいは操縦者が左手で把持した変速レバ−５１の把持部内側面部の操作スイッチＳＷ１を一方向側へ操作することにより、コントロ−ラＣＴからの出力によって電動モ−タ４０を正転駆動して、刈取部４の上部に横向き姿勢に配置する回動軸心Ｓを支点として分草装置８と引起装置９とを一体的に上方回動させる。これにより、分草装置８や引起装置９を畦に干渉させることなく、刈刃１０を畦に接近させてこの畦際の植立穀稈を刈り取ることができ、手刈り作業を省力化できる。この後、前記操作スイッ
チＳＷ１を他方向側へ押し操作すると、コントロ−ラＣＴからの逆出力によって電動モ−タ４０が逆転して、刈取部４の上部に横向き姿勢に配置する回動軸心Ｓ（伝動軸４３の軸心に同じ）を支点として分草装置８と引起装置９とを一体的に下方回動させ、元の通常の刈取作業位置へ復帰させる。
【００３３】
尚、上記の操作スイッチＳＷ１は、該操作スイッチＳＷ１を一方向側または他方向側へ押し操作している間だけ電動モ−タ４０を駆動させるものであるが、該操作スイッチＳＷ１を一方向側へワンプッシュするだけで、分草装置８と引起装置９とが上限位置に達するまで電動モ−タ４０が駆動し続けた後、該電動モ−タ４０が自動的に停止するようにコントロ−ラＣＴを設定してもよい。これにより、操作スイッチＳＷ１を一方向側へワンプッシュして手を離し、分草装置８と引起装置９とが上昇している間に、再び操向レバ−５２または変速レバ−５１を把持して操縦が行えるため、畦際での刈取作業の操作性を更に向上させることができる。
【００３４】
また、このように操作スイッチＳＷ１を一方向側にワンプッシュして分草装置８と引起装置９とが自動的に上昇する際に、この分草装置８と引起装置９との上昇位置を検出するセンサを設けて該センサを前記コントロ−ラＣＴの入力側に接続し、該センサが、分草装置８と引起装置９が収納状態にある排出オ−ガ６に接近したことを検出した場合に、コントロ−ラＣＴからの出力が停止して電動モ−タ４０の駆動を自動的に停止させるように構成してもよい。このように構成することにより、刈取部４の上方に位置する排出オ−ガ６に分草装置８や引起装置９が衝突して破損するのを防止することができる。
【００３５】
更に、前記操作スイッチＳＷ１を一方向側にワンプッシュして電動モ−タ４０が逆転して分草装置８と引起装置９とが上限位置まで上昇して自動的に停止した後、操作スイッチＳＷ１を他方向側へワンプッシュすることによって、分草装置８と引起装置９とが通常の刈取作業状態へ下降復帰するまで電動モ−タ４０が逆転した後、自動的に停止するように前記コントロ−ラＣＴを設定してもよい。これにより、操作スイッチＳＷ１を他方向側へワンプッシュして手を離し、分草装置８と引起装置９とが下降している間に、再び操向レバ−５２または変速レバ−５１を把持して操縦が行えるため、畦際での刈取作業の操作性を更に向上させることができる。
【００３６】
また、前記操作スイッチＳＷ１は、上述のようにシ−ソ−型に構成する以外に、単なる常開接点式に構成して、該操作スイッチＳＷ１の１回目ワンプッシュによって電動モ−タ４０が正転を開始し、２回目のワンプッシュによって電動モ−タ４０が逆転を開始するように前記コントロ−ラＣＴを設定してもよい。
【００３７】
更に、上述のように操作スイッチＳＷ１を操作して、分草装置８と引起装置９が上昇した状態では、操向レバ−５２を左右に傾倒操作しても、機体Ｋの走行方向が調節されないように構成してもよい。即ち、前記コントロ−ラＣＴと本機側のコントロ−ラを通信ラインで接続し、分草装置８と引起装置９が上昇位置にあることをセンサが検出している間は、操向レバ−５２を左右に傾倒操作しても、ミッションケ−ス５０内に設けた左右のサイドクラッチ伝動遮断状態に切り換わらないように前記コントロ−ラＣＴから本機側のコントロ−ラへ信号を送信するように設定し、牽制手段を形成するものである。即ち、畦際で分草装置８と引起装置９を上昇させて刈刃１０が露出している状態において、誤操作等によって操向レバ−５２が急激に傾倒操作されると、機体Ｋが急旋回して、刈刃１０等を畦に突っ込ませて破損するおそれがあるうえに、付近の作業者にとっても危険であるが、上記のように牽制手段を設けることによって、刈刃１０等を畦に突っ込ませて破損させるような事態が起こりにくく、安全性を向上させることができる。
【００３８】
また、前記コントロ−ラＣＴの入力側に牽制解除スイッチを接続し、上記のように操向レバ−５２を左右に傾倒操作しても、ミッションケ−ス５０内に設けた左右のサイドクラッチ伝動遮断状態に切り換わらないようにする前記の牽制手段を、牽制解除スイッチの操作によって牽制解除できるように構成してもよい。これにより、牽制解除した状態では、畦際で分草装置８と引起装置９を上昇させたまま、操向レバ−５２を傾倒操作して、小回りしながら、あるいは機体Ｋの向きを微妙に調節しながら、この畦際に植立する穀稈を刈り取ることができ、この畦際での刈取作業の精度および能率を向上させることができる。
【００３９】
また、上述のように分草装置８と引起装置９を上昇させて牽制手段が牽制状態になっていても、操作スイッチＳＷ１を他方向側へ操作して分草装置８と引起装置９が元の通常の刈取作業位置へ下降復帰すると、牽制手段による牽制状態が自動的に解除されるようにコントロ−ラＣＴを設定するとよい。これにより、通常の刈取作業を再開する際に、わざわざこの牽制状態を解除操作する必要がなくなり、操作性を向上させることができる。
【００４０】
また、機体Ｋの適所に該機体Ｋの前後傾斜姿勢を検出する前後傾斜センサを設けて該前後傾斜センサを前記コントロ−ラＣＴの入力側に接続し、前後傾斜センサが機体Ｋの前上がり傾斜を検出した場合に、コントロ−ラＣＴから電動モ−タ４０へ正転出力がなされるように構成してもよい。これにより、例えばコンバインが畦越えをする際に畦に乗り上げて前上がり傾斜になると、分草装置８と引起装置９が上昇し、この上昇に伴って重量物である分草装置８と引起装置９が前方へ移動する。これによって、機体Ｋの重心位置を前方へ移動させ、畦越え時の機体Ｋの前後傾斜姿勢の急激な変化を少なくすることができる。
【００４１】
また、前記コントロ−ラＣＴの入力側に、機体Ｋの前後傾斜姿勢を検出する前後傾斜センサと刈取クラッチの入り状態を検出するスイッチと脱穀クラッチの入り状態を検出するスイッチとを接続して、刈取クラッチと脱穀クラッチとが共に入り状態になっていることを検出している状態において、前後傾斜センサが機体Ｋの前下がり傾斜を検出すると、コントロ−ラＣＴから電動モ−タ４０に正転出力がなされるように構成してもよい。これにより、コンバインを畦越えさせた直後から穀稈を刈り取りながら圃場に侵入せねばならないような圃場であっても、分草装置８と引起装置９が上昇退避しているために、分草装置８が圃場面に突っ込んで破損するような不具合を少なくすることができる。
【実施例２】
【００４２】
図８に示すように、上述の実施例１のコンバインにおいて、その刈取部４への伝動機構を一部変更し、走行用のミッションケ−ス５０へ入力する静油圧式無段変速装置５３によって駆動される出力軸５４を設け、該出力軸５４と刈取出力軸５５との間にベルト変速機構５６を設け、刈取出力軸５５に設ける刈取出力プ−リ５７から刈取部４の入力プ−リ（図示省略）へベルト伝動する構成とする。そして、前記ベルト変速機構５６の変速比を変更調節する変速用電動モ−タ５８を設ける。一方、前記刈取部４の機体Ｋに対する昇降位置を検出するポテンショメ−タ５９を設ける。
【００４３】
そして、図９に示すように、コントロ−ラ６０に対して、その入力側に前記ポテンショメ−タ５９を接続する一方、その出力側に前記変速用電動モ−タ５８を接続する。
コンバイン作業は、分草装置８によって圃場に植立する穀稈を分草し、この分草された穀稈を引起装置９によって引起し、この引起された穀稈の株元部を刈刃１０によって切断し、この刈取穀稈を搬送装置１１によって後方へ搬送して脱穀部のフィ−ドチェン１６に引き継いで脱穀処理する。このようなコンバイン作業において、例えば圃場の一辺を刈り終えて畦際に達したときに、この畦が比較的高く、刈取部４を上昇させても分草装置８等が干渉する場合には、操縦部７からのスイッチ操作によって電動モ−タ４０を作動させて、刈取部４の上部に横向き姿勢に配置する回動軸心Ｓを支点として分草装置８と引起装置９とを一体的に上方回動させる。これにより、分草装置８や引起装置９を畦に干渉させることなく、刈刃１０を畦に接近させてこの畦際の植立穀稈を刈り取ることができる。また、この畦が比較的低い場合には、分草装置８と引起装置９とを通常の位置に保持したまま、この畦に干渉しない高さまで刈取部４全体を機体Ｋに対して上昇させる。すると、ポテンショメ−タ５９によって刈取部４の機体Ｋに対する昇降位置が検出され、この昇降位置が設定高さを越えると、コントロ−ラ６０から変速用電動モ−タ５８へ出力がなされ、該変速用電動モ−タ５８の作動によって前記ベルト変速機構５６が増速作動し、これによって刈取出力プ−リ５７の回転が増速して、刈取部４全体の駆動速度、すなわち引起装置９の引起速度と刈刃１０の駆動速度と搬送装置１１の搬送速度とが自動的に増速し、この状態で前進することによってこの畦際の植立穀稈を刈り取ることができ、この前進速度が低速であっても、引起装置９の引起速度の増速および搬送装置１１の搬送速度の増速によって植立穀稈を良好な姿勢に引起して刈り取り、良好な姿勢で搬送することができる。
【実施例３】
【００４４】
図１０に示すように、上述の実施例２のコンバインにおいて、前記引起ユニット２６の上方回動位置を検出するポテンショメ−タ６１を設け、図１１に示すように、コントロ−ラ６２に対して、その入力側に前記ポテンショメ−タ６１を接続する一方、その出力側に前記変速用電動モ−タ５８を接続する。
【００４５】
コンバイン作業は、分草装置８によって圃場に植立する穀稈を分草し、この分草された穀稈を引起装置９によって引起し、この引起された穀稈の株元部を刈刃１０によって切断し、この刈取穀稈を搬送装置１１によって後方へ搬送して脱穀部のフィ−ドチェン１６に引き継いで脱穀処理する。このようなコンバイン作業において、例えば圃場の一辺を刈り終えて畦際に達したときに、操縦部７からのスイッチ操作によって電動モ−タ４０を作動させて、刈取部４の上部に横向き姿勢に配置する回動軸心Ｓ（伝動軸４３の軸心に同じ）を支点として分草装置８と引起装置９とからなる引起ユニット２６を一体的に上方回動させる。すると、この引起ユニット２６の上方回動位置をポテンショメ−タ６１によって検出し、この上方回動位置が設定高さを越えると、コントロ−ラ６２から変速用電動モ−タ５８へ増速出力がなされ、該変速用電動モ−タ５８の作動によって前記ベルト変速機構５６が増速作動し、これによって刈取出力プ−リ５７の回転が増速して、刈取部４全体の駆動速度、すなわち引起装置９の引起速度と刈刃１０の駆動速度と搬送装置１１の搬送速度とが自動的に増速し、少なくとも搬送装置１１の搬送速度が自動的に増速するために、この状態で前進することによって、引起装置９が作用せずとも、少なくとも搬送装置１１の搬送速度の増速によって刈取穀稈を良好に取り込んで刈り取り、搬送することができる。この刈取搬送速度の増速状態を図１２のグラフに示す。Ａが通常の刈取作業状態における変速ライン、Ｂが畦際での刈取作業状態における変速ラインである。尚、この刈取搬送速度の増速状態を図１３のグラフのように設定してもよい。
【００４６】
また、脱穀装置３のフィ−ドチェン１６を変速可能に構成して、上述のようにして刈取部４全体の駆動速度が自動的に増速した場合、すなわち引起装置９の引起速度と刈刃１０の駆動速度と搬送装置１１の搬送速度とが自動的に増速した場合に、フィ−ドチェン１６の駆動速度も同調して増速するように構成してもよい。これにより、増速した搬送装置１１から送られてくる刈取穀稈をフィ−ドチェン１６に引き継いで搬送する際に、この引継ぎ部における穀稈の詰まりを防止して円滑に引継ぎ搬送することができる。
【００４７】
更に、上述のようにして刈取部４全体の駆動速度が自動的に増速した場合、すなわち引起装置９の引起速度と刈刃１０の駆動速度と搬送装置１１の搬送速度とが自動的に増速した場合に、フィ−ドチェン１６の駆動速度が同調して増速し、且つ、供給調節モ−タを駆動して前述の扱ぎ深さ調節手段を深扱ぎ側へ自動的に調節するように構成してもよい。即ち、畦際において分草装置８と引起装置９の作用を受けずに刈り取られる穀稈は、いくぶん穂先側から刈り取られるために穀稈丈が短く、この穀稈を、畦際に至る前の通常の刈取作業時に穂先側穀稈センサ−と株元側穀稈センサ−との検出結果によって制御していた扱ぎ深さ調節状態でフィ−ドチェン１６へ引き継ぐと、浅扱ぎ状態となって脱穀装置３で適切な脱穀作用を受けることができずに収穫損失となる問題がある。しかしながら、上述のように構成することによって、畦際で刈り取った短い穀稈でも脱穀装置３へ適切な扱ぎ深さで投入して脱穀処理でき、収穫損失を少なくすることができる。
【００４８】
尚、刈取対象の穀稈を掻き込むラグ式の掻込ベルト１２と、該掻込ベルト１２を巻き掛ける後側のプ−リと同軸のスタ−ホイル１３とからなる搬送装置１１だけを増速可能に構成して、分草装置８と引起装置９とからなる引起ユニット２６が上昇した場合に、この掻込ベルト１２とスタ−ホイル１３とからなる搬送装置１１だけが増速して駆動されるように構成してもよい。これによって、引起装置９が上昇して植立穀稈の作用しなくなっても、増速した掻込ベルト１２とスタ−ホイル１３とによって畦際の植立穀稈を円滑に掻き込んで刈り取ることができる。
【図面の簡単な説明】
【００４９】
【図１】コンバインの側面図である。（実施例１）
【図２】引起ユニットの説明用側面図である。（実施例１）
【図３】引起ユニットの説明用側面図である。（実施例１）
【図４】引起ユニットの説明用正面図である。（実施例１）
【図５】操向レバ−部の説明用平面図である。（実施例１）
【図６】変速レバ−部の説明用側面図である。（実施例１）
【図７】ブロック回路図である。（実施例１）
【図８】刈取部への伝動機構の説明図である。（実施例２）
【図９】ブロック回路図である。（実施例２）
【図１０】コンバインの側面図である。（実施例３）
【図１１】ブロック回路図である。（実施例３）
【図１２】変速ラインを表わすグラフである。（実施例３）
【図１３】別の変速ラインを表わすグラフである。（実施例３）
【符号の説明】
【００５０】
４  刈取部
８  分草装置
９  引起装置
１０  刈刃
１１  搬送装置
４０  電動モ−タ（駆動装置）
５１  変速レバ−
５２  操向レバ−
Ｋ  機体
Ｓ  回動軸心
ＳＷ１  操作スイッチ（操作具）
【図１】
2006180750.tif 000003
【図２】
2006180750.tif 000004
【図３】
2006180750.tif 000005
【図４】
2006180750.tif 000006
【図５】
2006180750.tif 000007
【図６】
2006180750.tif 000008
【図７】
2006180750.tif 000009
【図８】
2006180750.tif 000010
【図９】
2006180750.tif 000011
【図１０】
2006180750.tif 000012
【図１１】
2006180750.tif 000013
【図１２】
2006180750.tif 000014
【図１３】
2006180750.tif 000015